(57)【特許請求の範囲】
【請求項１】
石鹸水をつけた肌の上から１回ないし数回撫でることによって毛穴内の汚れを絞り出して掻き取るとともに角質層を取り除き、更には肌のマッサージを行うようにした肌の手入れ具であって、
棒状又はブレード状をなし、手指で握ることのできるグリップ部(10)と、
該グリップ部(10)の先端に設けられ、平面から見た時に上記グリップ部(10)の長手方向に対して直角の方向又は同一の方向に延びる糸保持部(20)と、
該糸保持部(20)の糸保持側の外表面との間に肌表面の押込みを許容しえるだけの隙間をあけかつ上記糸保持部(20)の延びる方向に弛みなく延びるように上記糸保持部(20)に張架され、石鹸水のついた肌表面に押付けられることによって長さ方向のほぼ全長にわたってほぼ均一な弾力をもって肌表面を押込む少なくとも１条の糸体(30)とを備えたことを特徴とする肌の手入れ具。
【請求項２】
上記糸体(30)が絹糸、綿糸あるいは化学繊維糸である請求項１記載の肌の手入れ具。
【請求項３】
複数条の上記糸体(30)が上記糸保持部(20)の糸保持側の外表面に対してほぼ平行な面上に位置して相互に平行に張架されている請求項１又は２記載の肌の手入れ具。
【請求項４】
上記糸保持部(20)が上記グリップ部(10)と一体的に形成された本体部分(22)と、該本体部分(22)に着脱可能に取付けられ、上記糸体(30)を張架するホルダー部(23)とから構成されている請求項１ないし３のいずれかに記載の肌の手入れ具。
【請求項５】
上記グリップ部(10)は側面から見た時に上記糸保持部(20)の糸保持側の外表面に対して１６０°ないし１７０°の角度をなしている請求項１ないし４のいずれかに記載の肌の手入れ具。
【発明の詳細な説明】
【０００１】
【発明の属する技術分野】
本発明は肌の手入れ具に関し、特に顔や手足の肌を傷めることなく、汚れを確実に落とすことのできるようにした手入れ具に関する。
【０００２】
【従来の技術】
肌を美しくかつ健康に保つ上で、日頃からの肌の手入れが大切である。特に、女性の場合には肌に付着した化粧品や皮脂等の汚れは毎日確実に落とすことが求められる。
【０００３】
手足の汚れを落とす場合、石鹸をつけたタオルで肌の表面をこすることが行われるが、顔の汚れを落とす場合には顔の肌が手足の肌に比して弱く敏感なことから、手足の肌のようにタオルでこすって洗うことができず、石鹸を泡立てて肌につけ、手で軽くこすって汚れを落している。
【０００４】
しかし、上記従来の洗顔方法では手と石鹸の泡とだけを利用するので、汚れを確実に落とすのにテクニックを必要とし、毛穴に汚れが残りやすい。
【０００５】
これに対し、絹糸製の織布を袋状とし、これを用いて洗顔を行うようにした洗浄用具が提案されている（特開平０８−１８２６３２号公報、特開平０９−１３５７８４号公報、等参照）。
【０００６】
ところで、顔の立体的形状を検討すると、顔には目、鼻、口が立体的に並び、非常に複雑な立体形状となっている。
【０００７】
【発明が解決しようとする課題】
しかし、従来公報記載の洗浄用具では布で肌をこすっていることになるので、手で軽くこすっているつもりでも顔のある部分は強くこすられて肌が傷つき、他の部分はほとんどこすられずに汚れが残るという問題があった。
【０００８】
本発明はかかる問題点に鑑み、顔や手足の肌を傷めることなく、汚れを確実に落とすことのできるようにした肌の手入れ具を提供することを課題とする。
【０００９】
【課題を解決するための手段】
そこで、本発明に係る肌の手入れ具は、石鹸水をつけた肌の上から１回ないし数回撫でることによって毛穴内の汚れを絞り出して掻き取るとともに角質層を取り除き、更には肌のマッサージを行うようにした肌の手入れ具であって、手指で握ることのできるグリップ部と、該グリップ部の先端に設けられ、平面から見た時に撫で操作する方向に対してほぼ垂直な方向に延びる糸保持部と、該糸保持部の糸保持側の外表面との間に肌表面の押込みを許容しえるだけの隙間をあけかつ上記糸保持部の延びる方向に弛みなく延びるように上記糸保持部に張架され、石鹸水のついた肌表面に押付けられることによって長さ方向のほぼ全長にわたってほぼ均一な弾力をもって肌表面を押込む少なくとも１条の糸体とを備えたことを特徴とする。
【００１０】
本発明の特徴の１つはピーンと張った糸体を石鹸水のついた肌表面に軽く押付けることにより、糸体が長さ方向のほぼ全長にわたって適度な弾力でもって肌表面をほぼ均一に押込み、その状態で肌表面を撫でられるようにした点にある。
【００１１】
これにより、凹凸のある顔の肌であっても広い範囲にわたって適切な弾力でもって均等にこすることができるので、肌を傷めることがなく、又汚れを残すことなく取り除くことができる。
【００１２】
ここで、糸体でこすることによって汚れが落ちるのは次のような理由によると考えられる。ピーンと張った糸体３０を肌４０の表面に押付けて移動させると、図４に示されるように、肌４０の表面には押込み部分４１が形成され、該押込み部分４１も糸体３０の移動に伴って移動し、毛穴４２の手前まで来ると、毛穴４２を側方から押潰す。すると、毛穴４２内の汚れ４３は毛穴４２から押出された後、糸体３０によって掻き取られ、これによって毛穴４２に詰まっていた化粧品や皮脂等の汚れが取り除かれる。
【００１３】
なお、石鹸水をつけずに糸体を肌表面をこすると、摩擦が大きく、肌を傷めるおそれがあるので、石鹸水をつけてこするようにする。実際には洗顔の後に本発明に係る手入れ具を用いるようにするのがよい。
【００１４】
また、糸体で肌の表面をこすると、肌の角質層が取り除かれ、同時に肌のマッサージも行われるので、肌が活性化され、ツルツルとして若返った美しい肌になる。
【００１５】
糸体は絹糸、綿糸あるいは化学繊維糸のいずれでもよいが、肌に悪影響のない絹糸が好ましい。特に、絹糸はアミノ酸を含むタンパク質を主成分とし、肌の成分によく似ており、肌の角質を滑らかにする効果か期待される。
【００１６】
糸体は１条でもよく、複数条であってもよいが、複数条の糸体を設けると１回撫でるだけで肌表面を繰り返し撫でた効果が得られる。糸体の太さは例えば絹糸の場合には８番の糸を２本、綿糸の場合には１００番の糸を５〜６本合わせて１条の糸体として用いるのがよい。化学繊維糸の場合には材質に応じて太さを選ぶのがよい。
【００１７】
１回撫でるだけで肌表面を繰り返し撫でた効果を確実に得る上で。複数条の糸体を糸保持部の糸を保持する側の外表面に対してほぼ平行な面上に位置して相互に平行に張架するのがよい。
【００１８】
また、糸保持部はグリップ部と一体に形成してもよく、又交換可能に形成してもよい。即ち、糸保持部はグリップ部と一体的に形成された本体部分と、該本体部分に着脱可能に取付けられ、糸体を張架するホルダー部とから構成することもできる。
【００１９】
また、糸保持部は平面から見た時に撫で操作する方向に対して垂直な方向に延びるように形成するが、手指と肌表面の間に適切な間隔をあけて操作し易くするために、グリップ部は側面から見た時に上記糸保持部の糸保持側の外表面に対して１６０°ないし１７０°の角度をなすようにするのが好ましい。
【００２０】
グリップ部及び糸保持部の材質は特に限定されないが、製造コストを考慮すると合成樹脂材料で型成形するのが好ましい。また、グリップ部及び糸保持部の形状はその機能を奏することができれば特に限定されないが、デザイン性及び取り扱い性を考慮すると、下記の実施形態に示されるように、グリップ部は棒状又はブレード状とするのがよい。
【００２１】
【発明の実施の形態】
以下、本発明を図面に示す具体例に基づいて詳細に説明する。図１及び図２は本発明に係る肌の手入れ具の好ましい実施形態を示す。本例の肌の手入れ具はグリップ部１０、糸保持部２０及び３条の糸体３０から構成されている。
【００２２】
グリップ部１０及び糸保持部２０は適切な合成樹脂材料を用い、型成形によって製造されている。グリップ部１２０は手指で握ることができる大きさの断面ほぼ四角形を手指で握ることができる長さだけ連続させた棒状となっている。また、グリップ部１０の断面四角形の各角部はアールがつけられている。
【００２３】
糸保持部２０は側面から見た時にグリップ部１０の長手方向（撫で操作する方向）に対してほぼ１７０°の角度αをなし、平面から見た時にグリップ部１０の長手方向に対してぼほ直角の方向に延びている。即ち、手入れ具は平面から見た時にほぼＴ字状となっている。
【００２４】
この糸保持部２０には長手方向の両端部にほぼ円弧状の盛り上がり部２５が所定の高さに形成され、盛り上がり部２５の間には３条の糸体３０が糸保持部２０の糸を保持する側の外表面と平行な平面上に位置して上記外表面との間に肌表面の押込みを許容しえるだけの隙間をあけかつ糸保持部の延びる方向に弛みなく、即ちピーンと張って延びるように張架されている。
【００２５】
また、糸体３０の両端には金具が固定されるか、結び目が形成され、金具又は結び目を糸保持部２０に形成した凹溝２１内に圧入することによって糸体３０は糸保持部２０に取付けられている。
【００２６】
この糸体３０には太さ８番の絹糸を２本合わせたものが１条の糸体として用いられている。また、本例の手入れ具を顔の肌の手入れに用いる場合には長さ約５ｃｍ、手足の肌の毛入れに用いる場合には約１０ｃｍ程度の長さＬに形成するのがよい。
【００２７】
本例の手入れ具を用いて顔の肌を手入れする場合、泡立てた石鹸水で洗顔を行なった後、本例の手入れ具のグリップ部１０を手指で握り、図３に示されるように、糸体３０を肌表面に軽く押付ける。すると、図４に示されるように、肌４０の表面が糸体３０によって押込まれ、そのままグリップ部１０を引くと、肌４０の表面の押込み部分４１も移動し、毛穴４２の手前に来ると、毛穴４２が側方から押潰され、毛穴４２内に残っていたあるいは毛穴４２に詰まっていた汚れ４３が押出され、糸体３０によって掻き取られる。
【００２８】
このような操作を４〜５回程度繰り返すと、肌４０に残っていた化粧品や皮脂等の汚れは確実に取り除くことができる。
【００２９】
同時に、石鹸水のついた肌の表面が糸体３０によってこすられるので、肌４０の角質層は取除かれるとともに、肌４０のマッサージも行われるので、肌４０が活性化され、美しい肌になる。
【００３０】
本件発明者らが１００人のモニターに本例の手入れ具の試用を依頼したところ、下記のようなことが報告された。
１．使用後に肌がツルツルとして張りがよくなった。
２．次の化粧のノリが抜群によくなった。
３．一部の人は皮膚のシミが薄くなった。皮膚に刺激が与えられ、新陳代謝が促進されるからであると推測される。
４．今まで残って取れなかった化粧品が確実に取れるようになった。
５．肌が若返ったと感じられる。
【００３１】
図５は第２の実施形態を示し、図において図１及び図２と同一符号は同一又は相当部分を示す。本例では糸体３０を糸保持部２０に対して交換可能に構成している。
【００３２】
即ち、糸保持部２０が本体部分２２とホルダー部２３とから構成され、本体部分２２はグリップ部１０と一体的に形成されるとともに、取付け穴２４が形成されている一方、ホルダー部２３の間には第１の実施形態と同様にして３条の糸体３０の両端が取付けられ、ホルダー部２３の底面に形成した突起（図示せず）が本体部分２２の取付け穴２４に嵌め込まれることによってホルダー部２３が本体部分２２に着脱可能に取付けられて糸体３０が張架されている。
【００３３】
なお、ホルダー部２３は第１の実施形態における盛り上がり部分２５に相当する部分を交換可能としたが、他の形状を採用することもできる。
【００３４】
本例の肌の手入れ具ではホルダー部２３に糸体３０をセットにしたものを予め準備しておけば、グリップ部１０及び本体部分２２は繰り返し使用てき、コスト的に有利である。
【００３５】
図５は第３の実施形態を示し、図１及び図２と同一符号は同一又は相当部分を示す。本例ではグリップ部１０がブレード状をなし、糸保持部２０は平面から見た時にグリップ部１０の長手方向と同一の方向（撫で操作する方向に対して垂直な方向）に延び、側面から見た時にグリップ部１０の長手方向に対して１７０°の角度αをなすように構成されている。
【００３６】
このように、手入れ具はいわゆる和剃刀の形状とすることもできる。
【００３７】
図７は第４の実施形態を示し、図において図６と同一符号は同一又は相当部分を示す。本例では糸体３０を交換可能としている以外、第３の実施形態と同様であるので、その詳細な説明は省略する。
【図面の簡単な説明】
【図１】  本発明に係る肌の手入れ具の好ましい実施形態の概略斜視図である。
【図２】  上記実施形態を示す側面図である。
【図３】  上記実施形態の使用方法を模式的に示す図である。
【図４】  上記実施形態の作用を説明するための図である。
【図５】  第２の実施形態を示す概略斜視図である。
【図６】  第３の実施形態の側面及び平面を示す図である。
【図７】  第４の実施形態を示す側面図である。
【符号の説明】
１０    グリップ部
２０    糸保持部
２２    本体部分
２３    ホルダー部
３０    糸体
【図１】
0004104850.tif 000002
【図２】
0004104850.tif 000003
【図３】
0004104850.tif 000004
【図４】
0004104850.tif 000005
【図５】
0004104850.tif 000006
【図６】
0004104850.tif 000007
【図７】
0004104850.tif 000008